(57)【要約】【課題】トラクタに連結する大型農作業機のスタンドを人力によって脱着するのは大変である。【解決手段】トラクタに連結する農作業機には、スタンド装置の係合受部に係合する係合体を備えてなる。又、複数個のキャスタを取り付けて自立して移動可能な台枠と、この台枠に立設した支持枠と、この支持枠の頂部には係合受部を備えてスタンド装置を構成する。トラクタに連結されている農作業機を前記スタンド装置の係合受部に係合体を係合させてトラクタから離脱した時に、スタンド装置の係合受部が農作業機を地上から持ち上げた吊り下げ状態に支持することを特徴としたトラクタに連結する農作業機のスタンド装置である。【選択図】      図１
2004350671.tif 000002
【特許請求の範囲】
【請求項１】
トラクタに連結する農作業機と、複数個のキャスタを取り付けて自立して移動可能な台枠と、この台枠に立設した支持枠と、この支持枠の頂部には係合受部を備えてあるスタンド装置と、前記農作業機にはスタンド装置の係合受部に係合する係合体を備えてなり、トラクタに連結されている農作業機を前記スタンド装置の係合受部に係合体を係合させてトラクタから離脱した時に、スタンド装置の係合受部が農作業機を地上から持ち上げた吊り下げ状態に支持することを特徴としたトラクタに連結する農作業機のスタンド装置。
【請求項２】
農作業機の係合体がスタンド装置の係合受部に係合すると同時に、係合作用と連動して固定する手段を具備してなる請求項１記載のトラクタに連結する農作業機のスタンド装置。
【発明の詳細な説明】
【０００１】
【発明の属する技術分野】
本発明は、トラクタに装着する農作業機のスタンド装置に係るものである。
【０００２】
【従来の技術】
従来、代掻機、畦塗り機等のトラクタに連結する農作業機は、倉庫内での移動や格納を容易にするために、農作業機本体の左右側部にキャスタ付のスタンドを着脱自在に取り付け、この取り付けたスタンドにて農作業機本体を地上から持ち上げた状態に支持するように構成している。
【０００３】
そして、このスタンド装置を備えた農作業機は、倉庫内での格納移動等が容易になり、又、トラクタに連結する際に、３点リンクヒッチやクイックカプラの連結操作が容易になるものである。
【０００４】
【発明が解決しようとする課題】
しかしながら、近年農作業機が大型化したり複合化するに到り、キャスタ付スタンドも大型化した農作業機を支持するために強化されて重量も重くなり、人力による農作業機の脱着が大変な重労働となり、時には危険な作業になっていた。
本発明はこの点に鑑みてなされたもので、大型化した農作業機にあって、トラクタの三点リンクヒッチやクイックカプラの連結時の昇降動作時に、キャスタ付スタンドを人力によらずに簡易に脱着しようとするものである。
【０００５】
【課題を解決するための手段】
上記課題を解決するために、トラクタに連結する農作業機と、複数個のキャスタを取り付けて自立して移動可能な台枠と、この台枠に立設した支持枠と、この支持枠の頂部には係合受部を備えてあるスタンド装置と、前記農作業機にはスタンド装置の係合受部に係合する係合体を備えてなり、トラクタに連結されている農作業機を前記スタンド装置の係合受部に係合体を係合させてトラクタから離脱した時に、スタンド装置の係合受部が農作業機を地上から持ち上げた吊り下げ状態に支持することを特徴としたトラクタに連結する農作業機のスタンド装置を提供したものである。
【０００６】
又、上記した農作業機のスタンド装置において、農作業機の係合体がスタンド装置の係合受部に係合すると同時に、係合作用と連動して固定する手段を具備した構成である。
【０００７】
【作用】
以上のような構成にしたので、トラクタオペレータは農作業機をトラクタから離脱するに際して、本発明の自立したスタンド装置をキャスタによって移動させて係合受部を農作業機側の係合体の下方に位置させる。次ぎに、トラクタの三点リンクヒッチを下降させて農作業機の係合体を係合受部に係合させると、農作業機は地上から持ち上げた吊り下げ状態に支持され、三点リンクヒッチはフリー状態となって離脱する。同時にスタンドの係合受部に固定されるから移動に際し安全である。再度、スタンド装置上の農作業機をトラクタの三点リンクに連結する際は予め、スタンド装置の固定手段を解除しておき、三点リンクのヒッチを農作業機の装着部に取り付けて上昇させると、農作業機はスタンド装置の係合受部から離脱する。
【０００８】
【発明の実施の形態】
本発明を実施した図面に基づいて構成を説明する。図１は本発明を実施した外観側面図、図２はスタンド装置の斜視図、図３は係合受部の説明図、図４は係合受部のストッパ解除説明図、及び図５はその他の実施例を示したものである。
【０００９】
図１において２は農作業機を示し、本実施例では畦塗り機を示したものである。８は装着フレームを示し、トップブラケット１８と左右のロアピン１９を設けている。装着フレーム８の後方には、機枠体７を連結して畦塗り用のディスクと土盛用の前処理機を備えている。本実施例では、装着フレーム８に対して、畦塗り部をトラクタ進行方向に対して後方に旋回させた状態を示している。
【００１０】
４は係合体で、作業部を示している機枠体７の両側に突出して構成し、断面四角状である。３はスタンド装置で、係合受部６が前記した農作業機２の係合体４が嵌入されて、固定手段５によって固定されている。スタンド装置の係合受部６に係合した時点で、農作業機を地上から持ち上げた吊り下げ状態に支持するように設定されている。
【００１１】
１はクイックヒッチを示し、図示していないがトラクタの三点リンクヒッチに連結される。クイックヒッチ１は前記した農作業機２の装着フレーム８のトップブラケット１８と左右のロアピン１９と連結するもので、トラクタ三点リンクヒッチの昇降作用を利用する。
【００１２】
図１の状態にあっては、先に農作業機２の係合体４をスタンド装置３の係合受部６に嵌入するように降下させて、固定手段４によって固定された状態でクイックヒッチ１をさらに降下されると、ロアピン１９及びトップブラケット１８から装着部が離脱する。トラクタから離脱した後は、スタンド装置３の係合受部６は農作業機２を地上から持ち上げた状態で支持固定されて、スタンド装置３は移動自在である。
【００１３】
図２に示したスタンド装置３は、台枠９に一対のキャスタ２０を取り付けて上方に支持枠１０を立設して、左右対称に構成して自立して移動可能である。１１は支持枠１０の補助枠を示し、台枠９に設けた穴の位置を換えると支持枠１０の角度と高さを変更できる。１２は左右に台枠９を連結する連結枠を示し、左右一体に構成し、連結枠１２は伸縮自在で支持枠１０の距離を変えたり、不要時にはコンパクトに格納するものである。５は固定手段を示し、係合受部６に嵌合された農作業機の係合体４を固定する。
【００１４】
図３において、６の係合受部はＵ字状を示し、四角断面の係合体４が嵌入すると、農作業機２の重量を吊り下げ状態に保持する。係合体４は上部から下降する時に固定手段５のストッパピン１３の傾斜面に当接し、ストッパピン１３は、一旦圧縮されて係合体が通過後にコイルバネ１４の弾性力によって復元して、係合体４の上面を固定する。
【００１５】
図４は係合受部６のストッパ解除を説明するもので、農作業機２をトラクタの三点リンクヒッチに連結する際には、スタンド装置３の固定手段を予め解除しておく。即ち、図４に示したように、ストッパピン１３の支軸１５をフック１７によって引き出した後に、フック１７を切欠部１６に押し当てて固定の解除状態を維持する。この後に、トラクタ連結側のクイックヒッチ１によりトップブラケット１８を引っ掛けて上昇させると、次いで左右のロアビン１９が係合されて、さらに昇降すると農作業機はスタンド装置から完全に離脱する。その後スタンド装置３をキャスタによって移動格納する。不要な時は、補助枠１１を外して連結枠１２を縮めるとよりコンパクトに格納できる。
【００１６】
図５はその他の実施例を示したもので、３分割に構成し上方に折り畳んだ代掻き装置に本発明のスタンド装置３を組み入れたものである。巾広の代掻き装置の前方横枠体に係合体４を左右対称に配設し、この係合体４にスタンド装置３を嵌合したものである。１は前記したとおりのトラクタの三点リンクヒッチ先端に設けたクイックヒッチである。必要によって支持枠１０の高さと角度は調整される。
【００１７】
【発明の効果】
以上のように構成したので、大型化してきている農作業機のスタンドの取り付けは、人力によって持ち上げて取り付ける必要がなくなり、トラクタに対する農作業機の取り付け、取り付け外しも簡易に脱着できるようになったものである。
【図面の簡単な説明】
【図１】本発明を実施した外観側面図
【図２】スタンド装置の斜視図
【図３】係合受部の説明図
【図４】係合受部のストッパ解除説明図
【図５】本発明を実施したその他の実施例
【符号の説明】
１      クイックヒッチ
２      農作業機
３      スタンド装置
４      係合体
５      固定手段
６      係合受部
７      機枠体
８      装着フレーム
９      台枠
１０    支持枠
１１    補助枠
１２    連結枠
１３    ストッパピン
１４    コイネバル
１５    支軸
１６    切欠部
１７    フック
１８    トップブラケット
１９    ロアピン
２０    キャスター
【図１】
2004350671.tif 000003
【図２】
2004350671.tif 000004
【図３】
2004350671.tif 000005
【図４】
2004350671.tif 000006
【図５】
2004350671.tif 000007